(57)【要約】【課題】釣用リールの制動調整つまみの抜け止め構造において、抜け止め部材の姿勢を安定に保てるようにする。【解決手段】釣用リールの制動調整つまみの抜け止め構造は、抜け止め係止部５５ｇと、環状溝５２ｄと、複数の凹部５２ｆと、ワッシャ５９と、抜け止め部材５８ｂとを備えている。抜け止め係止部５５ｇは、第１つまみ部材５５の後端に設けられている。環状溝５２ｄは、つまみ装着部５２の外周面に環状に形成されている。複数の凹部は、つまみ装着部５２の外周面に後端から環状溝５２ｄに向けて形成され、周方向に間隔を隔てて配置されている。ワッシャ５９は、抜け止め係止部５５ｇに当接する円環部５２ｄおよび円環部５２ｄの内周面から内方に突出して複数の凹部５２ｆに嵌合可能な突起部５９ｂを有している。抜け止め部材５８ｂは、環状溝５２ｄに装着されており、抜け止め係止部５５ｇとでワッシャ５９を挟持している。【選択図】      図３
2004350633.tif 000002
【特許請求の範囲】
【請求項１】
釣用リールのリール本体に設けられた筒状のつまみ装着部の外周に回転自在に装着される筒状の第１つまみ部材と前記第１つまみ部材の外周に着脱自在に装着される有底筒状の第２つまみ部材とを装着方向の逆側に抜け止めするための釣用リールの制動調整つまみの抜け止め構造であって、
前記第１つまみ部材の前記装着方向の逆側端に設けられた抜け止め係止部と、
前記つまみ装着部の外周面に環状に形成された環状溝と、
前記つまみ装着部の外周面において一端から前記環状溝に向けて形成され周方向に間隔を隔てて配置される複数の凹部と、
前記抜け止め係止部に当接する円環部および前記円環部の内周面から内方に突出して複数の前記凹部に嵌合可能に形成された突起部を有するワッシャと、
前記環状溝に装着され前記抜け止め係止部とで前記ワッシャを挟持する抜け止め部材と、
を備える釣用リールの制動調整つまみの抜け止め構造。
【請求項２】
前記釣用リールは、リアドラグ機構を有し、前記リアドラグ機構を収納するための前記つまみ装着部が前記リール本体の後部に設けられ、前記つまみ装着部に前記リアドラグ機構の調節部材である前記第１および第２つまみ部材が装着されるリアドラグ式のスピニングリールであり、
前記抜け止め係止部が前記第１つまみ部材の後端に設けられており、複数の前記凹部が前記つまみ装着部の外周面において後端から前記環状溝に向けて形成され周方向に間隔を隔てて配置されている、請求項１に記載の釣用リールの制動調整つまみの抜け止め構造。
【請求項３】
前記釣用リールは、前記リール本体に回転自在に装着されるスプールと前記スプールを制動するためのキャスティングコントロール機構とを有し、前記スプールの回転軸端を収納するための前記つまみ装着部が前記リール本体の側面から突出して設けられ、前記つまみ装着部にキャスティングコントロール機構の調節部材である第１および第２つまみ部材が装着される両軸受リールであり、
前記抜け止め係止部が前記第１つまみ部材の外方端に設けられて、複数の前記凹部が前記つまみ装着部の外周面において先端から前記環状溝に向けて形成され周方向に間隔を隔てて配置されている、請求項１に記載の釣用リールの制動調整つまみの抜け止め構造。
【請求項４】
前記抜け止め部材は、環状に形成されており、外径が前記円環部の内径より大きくなっている、請求項１から３のいずれかに記載の釣用リールの制動調整つまみの抜け止め構造。
【請求項５】
複数の前記凹部の深さは、前記環状溝の深さより深くなっている、請求項１から４のいずれかに記載の釣用リールの制動調整つまみの抜け止め構造。
【請求項６】
前記抜け止め部材は、Ｃ型止め輪からなる、請求項１から５のいずれかに記載の釣用リールの制動調整つまみの抜け止め構造。
【発明の詳細な説明】
【０００１】
【発明の属する技術分野】
本発明は、釣用リールの制動調整つまみの抜け止め構造、特に、釣用リールのリール本体に設けられた筒状のつまみ装着部の外周に回転自在に装着される筒状の第１つまみ部材と第１つまみ部材の外周に着脱自在に装着される有底筒状の第２つまみ部材とを装着方向の逆側に抜け止めするための釣用リールの制動調整つまみの抜け止め構造に関する。
【０００２】
【従来の技術】
従来の釣用リールの制動調整つまみには、抜け止め構造が設けられる場合がある。たとえば、リアドラク式のスピニングリールでは、リール本体後部に設けられた筒状のつまみ装着部の外周に有底筒状のつまみ部材が装着されたものがある。つまみ部材はつまみ装着部に対して回転可能になっており、このつまみ部材が後方に抜け出さないようにつまみ装着部には抜け止め構造が配置されている（たとえば、特許文献１）。この抜け止め構造は、環状溝と、抜け止め部材と、抜け止め係止部とを備えている。環状溝はつまみ装着部の外周面に形成されており、この環状溝に抜け止め部材が装着されている。抜け止め係止部は、つまみ部材の開口側内周面において、半径方向内方に突出して環状に形成されている。この抜け止め係止部は、抜け止め部材の前面に当接するように配置されている。これにより、つまみ部材が後方に抜け出さないように抜け止め部材によって抜け止めされる。
【０００３】
【特許文献１】
実公平４−１０７８３号公報（図面）
【０００４】
【発明が解決しようとする課題】
従来の釣用リールの制動調整つまみの抜け止め構造において、たとえばスピニングリールのリアドラグつまみの抜け止め構造では、抜け止め係止部を抜け止め部材の前面に当接させることで、つまみ部材が後方に抜け出せないようになっている。しかしながら、つまみ部材を回転させると、つまみ部材の抜け止め係止部に当接した抜け止め部材が同時に回転してしまうことがある。すると、抜け止め部材は回転した状態でつまみ部材を後方に抜け止めしなければならなくなるため、抜け止め部材に捩れが生じたりして抜け止め部材の姿勢が安定に保たれにくくなるおそれがある。特に、抜け止め部材にＣ型止め輪のような非連結の部分を有する部材が用いられた場合は、抜け止め部材の姿勢が安定に保たれていないと、抜け止め部材がつまみ装着部の環状溝から外れやすくなる。
【０００５】
本発明の課題は、釣用リールの制動調整つまみの抜け止め構造において、抜け止め部材の姿勢を安定に保てるようにすることにある。
【０００６】
【課題を解決するための手段】
発明１に係る釣用リールの制動調整つまみの抜け止め構造は、釣用リールのリール本体に設けられた筒状のつまみ装着部の外周に回転自在に装着される筒状の第１つまみ部材と第１つまみ部材の外周に着脱自在に装着される有底筒状の第２つまみ部材とを装着方向の逆側に抜け止めするためのものである。この釣用リールの制動調整つまみの抜け止め構造は、抜け止め係止部と、環状溝と、複数の凹部と、ワッシャと、抜け止め部材とを備えている。抜け止め係止部は、第１つまみ部材の装着方向の逆側端に設けられている。環状溝は、つまみ装着部の外周面に環状に形成されている。複数の凹部は、つまみ装着部の外周面において一端から環状溝に向けて形成されており、周方向に間隔を隔てて配置されている。ワッシャは、抜け止め係止部に当接する円環部および円環部の内周面から内方に突出して複数の凹部に嵌合可能に形成された突起部を有している。抜け止め部材は、環状溝に装着されており、抜け止め係止部とでワッシャを挟持している。
【０００７】
この釣用リールの制動調整つまみの抜け止め構造では、リール本体に設けられたつまみ装着部の外周に装着される第１つまみ部材を装着方向の逆側に移動しないように規制することで、第１つまみ部材と第１つまみ部材に装着される第２つまみ部材とを装着方向の逆側に抜け止めしている。このとき、ワッシャの円環部が第１つまみ部材の装着方向の逆側端に設けられた抜け止め係止部に当接して、ワッシャの突起部がつまみ装着部に形成された複数の凹部に嵌合される。この状態で、抜け止め部材がつまみ装着部に形成された環状溝に装着される。すると、ワッシャは、抜け止め係止部と抜け止め部材とによって挟持される。このように、ワッシャを介して抜け止め係止部は抜け止め部材によって装着方向の逆側に抜け止めされる。
【０００８】
ここでは、ワッシャの円環部が抜け止め係止部に当接して、ワッシャの突起部がつまみ装着部に形成された複数の凹部に嵌合されている。このようにワッシャを配置すると、抜け止め係止部が回転しても、抜け止め係止部に当接したワッシャはつまみ装着部に対して回転が規制される。このようにつまみ装着部に対して回転が規制されたワッシャを挟持するように、抜け止め係止部と抜け止め部材とが配置されているので、抜け止め係止部が回転しても、抜け止め係止部の回転がワッシャによって抜け止め部材に伝達されないようになっている。これにより、抜け止め部材の姿勢を安定に保つことができる。
【０００９】
発明２に係る釣用リールの制動調整つまみの抜け止め構造では、発明１に記載の釣用リールの制動調整つまみの抜け止め構造において、釣用リールは、リアドラグ機構を有するリアドラグ式のスピニングリールである。このリアドラグ式のスピニングリールでは、リアドラグ機構を収納するためのつまみ装着部がリール本体の後部に設けられており、つまみ装着部にリアドラグ機構の調節部材である第１および第２つまみ部材が装着されている。このとき、抜け止め係止部は、第１つまみ部材の後端に設けられている。また、複数の凹部は、つまみ装着部の外周面において後端から環状溝に向けて形成されており、周方向に間隔を隔てて配置されている。
【００１０】
この場合、ワッシャの円環部が第１つまみ部材の後端に設けられた抜け止め係止部に当接して、ワッシャの突起部がつまみ装着部において後端から環状溝に向けて形成された複数の凹部に嵌合される。この状態で、抜け止め部材が環状溝に装着される。すると、ワッシャは、抜け止め係止部と抜け止め部材とによって挟持される。このように、ワッシャを介して抜け止め係止部は抜け止め部材によって後方に抜け止めされる。
【００１１】
ここでは、ワッシャの円環部が抜け止め係止部に当接して、ワッシャの突起部がつまみ装着部に形成された複数の凹部に嵌合されている。このようにワッシャを配置すると、抜け止め係止部が回転しても、抜け止め係止部に当接したワッシャはつまみ装着部に対して回転が規制される。このようにつまみ装着部に対して回転が規制されたワッシャを挟持するように、抜け止め係止部と抜け止め部材とが配置されているので、抜け止め係止部が回転しても、抜け止め係止部の回転がワッシャによって抜け止め部材に伝達されないようになっている。これにより、抜け止め部材の姿勢を安定に保つことができる。
【００１２】
発明３に係る釣用リールの制動調整つまみの抜け止め構造では、発明１に記載の釣用リールの制動調整つまみの抜け止め構造において、釣用リールは、リール本体に回転自在に装着されるスプールとスプールを制動するためのキャスティングコントロール機構とを有する両軸受リールである。この両軸受リールでは、スプールの回転軸端を収納するためのつまみ装着部がリール本体の側面から突出して設けられており、つまみ装着部にキャスティングコントロール機構の調節部材である第１および第２つまみ部材が装着されている。このとき、抜け止め係止部は、第１つまみ部材の外方端に設けられている。また、複数の凹部はつまみ装着部の外周面において先端から環状溝に向けて形成されており、周方向に間隔を隔てて配置されている。
【００１３】
この場合、ワッシャの円環部が第１つまみ部材の外方端に設けられた抜け止め係止部に当接して、ワッシャの突起部がつまみ装着部において先端から環状溝に向けて形成された複数の凹部に嵌合される。この状態で、抜け止め部材が環状溝に装着される。すると、ワッシャは、抜け止め係止部と抜け止め部材とによって挟持される。このように、ワッシャを介して抜け止め係止部は抜け止め部材によって外方に抜け止めされる。
【００１４】
ここでは、ワッシャの円環部が抜け止め係止部に当接して、ワッシャの突起部がつまみ装着部に形成された複数の凹部に嵌合されている。このようにワッシャを配置すると、抜け止め係止部が回転しても、抜け止め係止部に当接したワッシャはつまみ装着部に対して回転が規制される。このようにつまみ装着部に対して回転が規制されたワッシャを挟持するように、抜け止め係止部と抜け止め部材とが配置されているので、抜け止め係止部が回転しても、抜け止め係止部の回転がワッシャによって抜け止め部材に伝達されないようになっている。これにより、抜け止め部材の姿勢を安定に保つことができる。
【００１５】
発明４に係る釣用リールの制動調整つまみの抜け止め構造は、発明１から３のいずれかに記載の釣用リールの制動調整つまみの抜け止め構造において、抜け止め部材が環状に形成されている。この抜け止め部材は外径が円環部の内径より大きくなっている。この場合、抜け止め部材の外径をワッシャの円環部の内径より大きくしたことで、抜け止め部材をワッシャの突起部だけでなく円環部にも当接させることができる。これにより、抜け止め部材は、姿勢を安定に保ちながら、ワッシャを介して抜け止め係止部を後方に確実に抜け止めすることができる。
【００１６】
発明５に係る釣用リールの制動調整つまみの抜け止め構造は、発明１から４のいずれかに記載の釣用リールの制動調整つまみの抜け止め構造において、複数の凹部の深さが環状溝の深さより深くなっている。この場合、ワッシャの突起部が複数の凹部に嵌合された状態で、抜け止め部材がワッシャを抜け止め係止部との間で挟持するように環状溝に配置されると、ワッシャの突起部の先端は抜け止め部材の内周側に位置することになる。これにより、抜け止め係止部とワッシャとが後方に移動しようとしても、これら後方への移動を抜け止め部材で確実に抜け止めすることができる。
【００１７】
発明６に係る釣用リールの制動調整つまみの抜け止め構造は、発明１から５のいずれかに記載の釣用リールの制動調整つまみの抜け止め構造において、抜け止め部材がＣ型止め輪からなっている。この場合、抜け止め部材をＣ型止め輪にすることで、抜け止め部材を環状溝に容易に装着することができる。なお、抜け止め係止部の回転はワッシャによってＣ型止め輪に伝達されないようになっているので、Ｃ型止め輪を環状溝に装着したとしても、Ｃ型止め輪は環状溝から外れにくい。
【００１８】
【発明の実施の形態】
〔スピニングリールの構成〕
図１に、本発明の一実施形態によるスピニングリールを示す。
スピニングリールは、図１に示すように、主に、ハンドル１０を回転自在に支持するリール本体１と、ロータ２と、スプール３と、つまみ部材５０およびレバー部材５１とを備えている。
【００１９】
リール本体１は、リールボディ１ａと、リールボディ１ａから上方に延びる竿取付脚部１ｂとを有している。リールボディ１ａの内部には収納空間が形成されている。この収納空間にはロータ２をハンドル１０の回転に連動して回転させるロータ駆動機構５と、スプール３を前後に移動させて釣り糸を均一に巻き取るためのオシレーティング機構６とが設けられている。リールボディ１ａの後部には、つまみ装着部５２が筒状に一体に形成されている。つまみ装着部５２には、図２および図３に示すように、後端面に周方向に所定の間隔を隔てて複数の第１係合凹部５２ｂが形成されている。また、つまみ装着部５２には、後部内周面に第１雌ねじ部５２ａと、中央部外周面に第３雄ねじ部５２ｅとが形成されている。この第３雄ねじ部５２ｅの後方には、環状の第１環状溝５２ｃおよび第２環状溝（環状溝）５２ｄが所定の間隔を隔てて形成されている。そして、つまみ装着部５２の後端から第２環状溝（環状溝）５２ｄに向けて第２係合凹部（凹部）５２ｆが軸方向に形成されている。この第２係合凹部（凹部）５２ｆは、周方向に所定の間隔を隔てて配置されており、深さが第２環状溝（環状溝）５２ｄの深さより深くなっている。第３雄ねじ部５２ｅの前方には、レバー部材５１の回転方向の位置決めをするための位置決め凹部９６が、つまみ装着部５２上部に設けられている。位置決め凹部９６は、回転方向の両側面が底部側から開口側に向けて末広がりテーパ状に形成されている。また、第３雄ねじ部５２ｅの前方には、後述する第２音出しピン７３と第２コイルばね７４とを配置するための第２装着凹部７２が、つまみ装着部５２側部に設けられている。
【００２０】
ロータ２は、リール本体１の前部に回転自在に支持されている。ロータ２は、図１に示すように、ロータ円筒部３０と、第１ロータアーム３１および第２ロータアーム３２とを有している。第１および第２ロータアーム３１，３２は、ロータ円筒部３０の側方に互いに対向して設けられている。ロータ円筒部３０と第１および第２ロータアーム３１，３２とは、たとえばアルミニウム合金製であり、ロータ円筒部３０に一体に成形されている。第１および第２ロータアーム３１，３２は、ロータ円筒部３０の周面上に周方向に広がりをもたせて接続させている。そして、ロータ円筒部３０から外方に突出して湾曲しながら前方に延びている。第１ロータアーム３１は、先端に第１ベール支持部材４０が揺動自在に装着されている。そして、第１ベール支持部材４０の先端に、釣り糸をスプール３に案内するためのラインローラ４１が装着されている。第２ロータアーム３２は、先端に第２ベール支持部材４２が揺動自在に装着されている。ラインローラ４１と第２ベール支持部材４２との間には、線材を略Ｕ状に湾曲させた形状のベール４３が固定されている。このように、第１ベール支持部材４０及び第２ベール支持部材４２、ラインローラ４１、ベール４３によって、釣り糸をスプール３に案内するベールアーム４４が構成される。ベールアーム４４は、図１に示す糸案内姿勢とそれから反転した糸開放姿勢との間で揺動自在である。
【００２１】
ロータ駆動機構５は、図１に示すように、ハンドル１０が連結されたハンドル軸１０ａとともに回転するフェースギア１１と、フェースギア１１に噛み合うピニオンギア１２とを有している。ピニオンギア１２は、筒状に形成されており、軸方向の中間部と後端部とがそれぞれ軸受１４ａ、１４ｂを介してリール本体１に回転自在に支持されている。ピニオンギア１２の前部は、ロータ２の中心部を貫通してスプール３側に延びている。ピニオンギア１２の内周部には、スプール軸１４が回転軸芯に沿って前後方向に摺動自在に貫通している。
【００２２】
スプール３は、釣り糸を外周面に巻き取るものであり、図１に示すように、ロータ２の前部に前後移動自在に装着されている。スプール３は、スプール本体７と、鍔部８と、鍔部固定部材９とで構成されている。スプール本体７は、糸巻胴部４ａとスカート部４ｂとを有している。糸巻胴部４ａは、筒状に形成されており、外周に釣り糸が巻き付けられる。スカート部４ｂは、糸巻胴部４ａの外径より大径に形成され、糸巻胴部４ａの後部に一体成形されている。鍔部８は、糸巻胴部４ａの前部に装着されており、鍔部固定部材９によってスプール本体７に固定されている。
【００２３】
オシレーティング機構６は、図１に示すように、スプール３に連結されたスプール軸１４を前後方向に移動させて、スプール３を同方向に移動させるための機構である。オシレーティング機構６は、スプール軸１４の下方に平行に配置された螺軸１５と、螺軸１５に沿って前後方向に移動するスライダ１６と、スプール軸に平行に配置されたガイド軸（図示しない）と、螺軸１５の先端に固定された中間ギア（図示しない）とを有している。スライダ１６は、スプール軸１４に回転不能に装着されている。
【００２４】
リアドラグ機構４５は、スプール３にドラグ力を作用させるための機構である。このリアドラグ機構４５は、図２に示すように、長円筒状の第１ブッシュ１８と、複数の摩擦プレート１９ａ，２０ａからなる第１および第２摩擦係合部１９，２０と、第１摩擦係合部１９の摩擦プレート１９ａを押圧するための押圧用コイルばね２１および第１押圧部材２２と、第２摩擦係合部２０の摩擦プレート２０ａを押圧するための第２押圧部材２５とから構成されている。
【００２５】
第１ブッシュ１８は、外周面が互いに平行に面取りされた筒状に形成されている。第１ブッシュ１８の前部内周には、第２ブッシュ１８ａが第１ブッシュ１８に対して回転不能かつ摺動不能に嵌合されている。第２ブッシュ１８ａも、外周面が互いに平行に面取りされた筒状に形成されている。この第２ブッシュ１８ａは、たとえば摺動性能の高い合成樹脂製からなっており、内周にスプール軸１４が回転不能かつ摺動自在に嵌め込まれている。このように、第１ブッシュ１８とスプール軸１４との間に、摺動性能の高い第２ブッシュ１８ａを配置することで、スプール軸１４は滑らかに摺動することが可能になる。
【００２６】
第１ブッシュ１８後部の外周面上には、フランジ部２３が設けられている。そして、フランジ部２３の前後に、第１摩擦係合部１９の摩擦プレート１９ａが配置される。第１摩擦係合部１９の後部には、押圧用コイルばね２１が配置されている。そして、押圧用コイルばね２１の後部には、第１押圧部材２２が直列に連結される。この第１押圧部材２２の前部２２ａは、円筒状に形成されており、外周面に第１雄ねじ部２２ｂが設けられている。また、第１押圧部材の後部２２ｃは、前部より小径の有底筒状に形成されており、外周面が互いに平行に面取りされている。
【００２７】
第２摩擦係合部２０では、第１ブッシュ１８の外周に回転不能に装着されたプレート部材２０ｂが摩擦プレート２０ａによって挟持されている。プレート部材２０ｂの外周面には、後述する音出しばね８１に係合する突起２０ｃが周方向に所定の間隔で形成されている。第２摩擦係合部２０の後部には第２押圧部材２５が配置されており、後述するレバー部材５１の係合部２５ｂに係合している。
【００２８】
第１押圧部材２２は、第１雄ねじ部２２ｂにおいて、つまみ装着部５２の内周面に形成された第１雌ねじ部５２ａに回転自在に装着される。この状態で第１押圧部材２２が回転すると、第１押圧部材２２は、つまみ装着部５２の内部を回転しながら前後方向に移動して、押圧用コイルばね２１を圧縮したり圧縮解除したりする。一方で、第２押圧部材２５は、第１ブッシュ１８の外周に回転自在に装着されている。この第２押圧部材２５が回転して第２摩擦係合部２０の摩擦プレート２０ａを押圧すると、摩擦プレート２０ａによってプレート部材２０ｂの両面が押圧される。
【００２９】
つまみ部材５０は、図３および図４に示すように、第１つまみ部材５５と、第２つまみ部材５６と、リング部材５７とからなっている。第１つまみ部材５５は、たとえば合成樹脂製であり、筒状に形成されている。この第１つまみ部材５５は、第１筒状部５５ａと第２筒状部５５ｂと第３筒状部５５ｃとを有しており、これら第１から第３筒状部５５ａ，５５ｂ，５５ｃは一体に形成されている。
【００３０】
第１筒状部５５ａには、前部内周面に環状の第３環状溝５５ｄが設けられている。この第３環状溝５５ｄとつまみ装着部５２の第１環状溝５２ｃとに、第１嵌合部材５８ａが嵌合されている。ここで、第１嵌合部材５８ａには、たとえばＯリングが用いられている。第２筒状部５５ｂは、第１筒状部５５ａの後端に一体に形成されており、外径が第１筒状部５５ａの外径より小径になっている。第３筒状部５５ｃは、第２筒状部５５ｂの後端に一体に形成されており、外径が第２筒状部５５ｂの外径より小径になっている。第３筒状部５５ｃの外周面には、第２雄ねじ部５５ｅが設けられている。
【００３１】
第３筒状部５５ｃの後端には、抜け止め係止面（抜け止め係止部）５５ｇが設けられている。抜け止め係止面（抜け止め係止部）５５ｇは、回転軸に実質的に垂直な面状に形成されている。この抜け止め係止面（抜け止め係止部）５５ｇの後部には、ワッシャ５９が配置されている。ワッシャ５９は、円環部５９ａと突起部５９ｂとを有している。円環部５９ａは、抜け止め係止面（抜け止め係止部）５５ｇに当接している。突起部５９ｂは、円環部５９ａの内周面から内方に突出して複数の第２係合凹部（凹部）５２ｆに嵌合可能に形成されている。このワッシャ５９は、第２嵌合部材（抜け止め部材）５８ｂによって位置決めされる。第２嵌合部材（抜け止め部材）５８ｂは、ワッシャ５９の後面に当接させながら、つまみ装着部５２に形成された第２環状溝（環状溝）５２ｄに嵌合されている。ここで、第２嵌合部材（抜け止め部材）５８ｂには、たとえばＣ型止め輪が用いられており、外径がワッシャ５９の円環部５９ａの内径より大きくなっている。
【００３２】
第２つまみ部材５６は、たとえば合成樹脂製であり、有底筒状に形成されている。第２つまみ部材５６の底部には、第１および第２嵌合部５６ｅ，５６ｆが設けられている。第１嵌合部５６ｅは、底部中央部で小判穴状に形成されている。この第１嵌合部５６ｅに、外周面が互いに平行に面取りされた第１押圧部材２２の後部２２ｃを嵌合させている。このとき、第１押圧部材２２の後部２２ｃは、第１嵌合部５６ｅ内において回転不能かつ前後方向に摺動自在になっている。第２嵌合部５６ｆは、第２つまみ部材５６の底部外周に円環凹状に形成されている。この第２嵌合部５６ｆに、後述する音出し部材６１が嵌合される。また、円環凹状に形成された第２嵌合部５６ｆの底部には、第１装着凹部６３が形成されており、この第１装着凹部６３に後述する第１音出しピン６４および第１コイルばね６５が配置される。
【００３３】
第２つまみ部材５６の内周側面には、環状の第４環状溝５６ｂと第２雌ねじ部５６ｄとが設けられている。第４環状溝５６ｂは、第２つまみ部材５６の底部側で、後述する音出し部材６１の外径より大径に形成されている。第２雌ねじ部５６ｄは、第２つまみ部材５６の開口側に形成されている。この第２雌ねじ部５６ｄを第１つまみ部材５５の第２雄ねじ部５５ｅに螺合させることで、第２つまみ部材５６が第１つまみ部材５５に連結される。このとき、第１つまみ部材５５と第２つまみ部材５６との間には、リング部材５７が配置される。このリング部材５７は、たとえばアルミニュウム製である。なお、第１つまみ部材５５と第２つまみ部材５６との間にリング部材５７を設置したことで、つまみ部材５０の意匠性を向上することができる。
【００３４】
レバー部材５１は、図５に示すように、第１レバー部材９０と、第２レバー部材９１と、位置決めピン９２および第４コイルばね９３と、固定部材９４と、筒状部材９５とからなっている。第１レバー部材９０は、筒状に形成されており、外周面から径方向外方に向けて突出した第１レバー部９０ａを有している。第１レバー部９０ａは前方に開口した収納部を有しており、この収納部に後述する第２レバー部９１ａを収納できるようになっている。また、第１レバー部材９０には、内周部に向けて突出した第１嵌合凸部９０ｂが周方向に所定の間隔で形成されている。第２レバー部材９１は、筒状に形成されており、外周面から径方向外方に向けて突出して形成された第２レバー部９１ａを有している。第２レバー部９１ａには、内周面に第２嵌合凹部９１ｃが、周方向に所定の間隔で形成されている。また、第２レバー部９１ａには第４装着凹部９１ｂが形成されており、この第４装着凹部９１ｂは開口側が前方になるように配置されている。第４装着凹部９１ｂには、位置決めピン９２と第４コイルばね９３とが装着される。
【００３５】
位置決めピン９２は、第４頭部９２ａと、第４受け部９２ｂと、第４軸部９２ｃとを有している。第４頭部９２ａと第４受け部９２ｂとは、略Γ字形に一体に形成されている。このとき、第４頭部９２ａは下向き部に対応しており、第４受け部９２ｂは横向部に対応している。第４頭部９２ａは、矩形柱状に形成されており、先端部の両側面が先細りテーパ状になっている。第４受け部９２ｂでは、先端部が第４装着凹部９１ｂの下側側面に係合している。第４軸部９２ｃは、第４受け部９２ｂに連結された軸状の部分であり、外周に第４コイルばね９３を配置できるようになっている。第４コイルばね９３は、基端部が第４装着凹部９１ｂの上側側面に当接しており、先端部が第４受け部９２ｂと第４軸部９２ｃとの段差部分に当接している。この第４コイルばね９３は、圧縮状態で第４装着凹部９１ｂに収納され、位置決めピン９２を位置決め凹部９６側に付勢している。このように、位置決めピン９２と第４コイルばね９３とを第４装着凹部９１ｂに配置すると、レバー部材５１を揺動させたときに、位置決めピン９２がつまみ装着部５２の上部に形成された位置決め凹部９６に対向した位置にくると、位置決めピン９２の頭部９２ａが位置決め凹部９６に係合するようになっている。
【００３６】
固定部材９４は、位置決めピン９２および第４コイルばね９３を第４装着凹部９１ｂから抜け出さないようにするためのものであり、たとえばボルトにより第２レバー部材９１に固定されている。このようにすると、レバー部材５１を前方から順に組み立てていくことができる。
筒状部材９５は、前部の外径が中央部の外径より大径に形成されており、前部と中央部との間の段差部がテーパ状に形成されている。筒状部材９５の前部には、外周面に第２嵌合凸部９５ａが所定の間隔で形成されており、内周縁にレバー部材５１の動作を第２押圧部材２５に伝達するための係合部９５ｂが形成されている。また、筒状部材９５の後部外周面には、筒状部材９５の後端へと溝状に延びた第１嵌合凹部９５ｃが周方向に所定の間隔で形成されている。この第１嵌合凹部９５ｃの側壁部には、第１嵌合凹部９５ｃにくい違う方向に溝部９５ｄが形成されている。このような筒状部材９５では、テーパ状の段差部と中央部とが第２レバー部材９１の内周面に当接して、第２嵌合凸部９５ａが第２レバー部材９１の第２嵌合凹部９１ｃに嵌合されている。そして、筒状部材９５の第１嵌合凹部９５ｃに、第１レバー部材９０の第１嵌合凸部９０ｂが嵌合されている。また、第１レバー部材９０の第１嵌合凸部９０ｂの後面には、第３嵌合部材９８が当接している。この第３嵌合部材９８は、たとえばＣ型止め輪になっており、溝部９５ｄで係止されている。ここで、筒状部材９５の内周面には第３雌ねじ部９５ｅが設けられており、この第３雌ねじ部９５ｅをつまみ装着部５２の第３雄ねじ部５２ｅに螺合させることで、筒状部材９５はつまみ装着部５２に回転自在に装着される。
【００３７】
ここで、レバー部材５１では、第１レバー部材９０および固定部材９４と、第２レバー部材９１とで異なる材質が用いられている。たとえば、第１レバー部材９０および固定部材９４はＡＢＳ樹脂製になっており、第２レバー部材９１は合成樹脂製になっている。第１レバー部材９０および固定部材９４の表層側には、めっき処理されためっき層９９が設けられている。このとき、第１レバー部材９０および固定部材９４と第２レバー部材９１とを異なる材質にしたことで、めっき層９９をめっき処理するにあたって偏肉によるヒケマークを防止することができる。
【００３８】
リアドラグ発音機構は、第１リアドラグ発音機構（つまみ操作時の発音機構）６０と、第２リアドラグ発音機構（レバー操作時の発音機構）７０と、第３リアドラグ発音機構（ドラグ作動時の発音機構）８０とからなる。
第１リアドラグ発音機構６０は、図６に示すように、つまみ装着部５２と第２つまみ部材５６との間に配置され、つまみ装着部５２とつまみ部材５０との相対回転により発音するようになっている。この第１リアドラグ発音機構６０は、音出し部材６１と、抜け止め部材６２と、第１装着凹部６３と、第１音出しピン６４と、第１コイルばね６５とを備えている。
【００３９】
音出し部材６１は、リング状に形成される円盤部６１ａと、円盤部６１ａの一面に回転方向に間隔を隔てて配置された複数の音出し凹部６１ｂと、円盤部６１ａの他面に一体に形成された係合部６１ｃとを有している。この音出し部材６１では、円盤部６１ａが、第２つまみ部材５６の第２嵌合部５６ｆに嵌合されており、第２つまみ部材５６に対して回転自在になっている。また、円板部６１ａの外径は、第４環状溝５６ｂの内径より小径に形成されている。係合部６１ｃは、つまみ装着部５２の後端面に形成された第１係合凹部５２ｂに向けて突出して形成されており、この第１係合凹部５２ｂに嵌合されている。抜け止め部材６２は、音出し部材６１の脱落防止のために設けられている。この抜け止め部材６２は、たとえばＣ型止め輪となっており、第４環状溝５６ｂに配置される。また、抜け止め部材６２の内径は、音出し部材６１の円盤部６１ａの外径より小さく形成されている。第１装着凹部６３は、複数の音出し凹部６１ｂに対向する位置で、第２つまみ部材５６の底部に形成されている。
【００４０】
第１音出しピン６４は、第１装着凹部６３に進退自在に装着されており、音出し部材６１の第１音出し凹部６１ｂに係合している。第１音出しピン６４は、第１頭部６４ａと、第１頭部６４ａに連結された第１受け部６４ｂと、第１受け部６４ｂに連結された第１軸部６４ｃとを有している。第１頭部６４ａは先端が滑らかな凸状に形成されている。この第１頭部６４ａの先端が、第１音出し凹部６１ｂに衝突を繰り返すことでクリック音を発する。ここで、第１音出しピン６４は第１頭部６４ａの先端が滑らかな凸状に形成されているので、第１音出しピン６４は、極力少ない抵抗でクリック音を発することができる。第１受け部６４ｂは、第１頭部６４ａより大径かつ第１装着凹部６３の内径より小径に形成されている。第１軸部６４ｃは、第１受け部６４ｂより小径に形成された軸状の部分であり、外周に第１コイルばね６５を配置できるようになっている。このように、第１軸部６４ｃが第１受け部６４ｂより小径に形成されることで、第１受け部６４ｂと第１軸部６４ｃとの段差部分に第１コイルばね６５の先端が当接可能となっている。
【００４１】
第１コイルばね６５は、第１音出しピン６４の第１軸部６４ｃの外周側に配置される。このとき、第１コイルばね６５の基端部は第１装着凹部６３の底部に当接しており、第１コイルばね６５の先端部は第１受け部６４ｂと第１軸部６４ｃとの段差部分に当接している。この第１コイルばね６５は、圧縮状態で第１装着凹部６３に収納され、第１音出しピン６４を第１音出し凹部６１ｂ側に付勢している。
【００４２】
第２リアドラグ発音機構７０は、図７に示すように、つまみ装着部５２とレバー部材５１との間に配置され、レバー部材５１を揺動させることにより発音するようになっている。この第２リアドラグ発音機構７０は、図７および図８に示すように、第２音出し凹部７１と、第２装着凹部７２と、第２音出しピン７３と、第２コイルばね７４とを備えている。第２音出し凹部７１は、軸方向に延びた溝状に形成されており、第２レバー部材９１の前方の内周側面に揺動範囲に応じて周方向に間隔を隔てて複数形成されている。第２装着凹部７２は、第２音出し凹部７１に対向するようにつまみ装着部５２の外周側面に形成されている。この第２装着凹部７２の底部には、嵌合穴７２ａが形成されている。
【００４３】
第２音出しピン７３は、第２装着凹部７２に進退自在に装着されており、第２音出し凹部７１に係合している。第２音出しピン７３は、第２頭部７３ａと、第２頭部７３ａに連結された第２受け部７３ｂと、第２受け部７３ｂに連結された第２軸部７３ｃとを有している。第２頭部７３ａは先端が滑らかな凸状に形成されている。この第２頭部７３ａの先端が、第２音出し凹部７１に衝突を繰り返すことでクリック音を発する。ここで、第２音出しピン７３は、第２頭部７３ａの先端が滑らかな凸状に形成されているので、極力少ない抵抗でクリック音を発することができる。第２受け部７３ｂは、第２頭部７３ａより大径かつ第２装着凹部７２の内径より小径に形成されている。第２軸部７３ｃは、第２受け部７３ｂより小径に形成された軸状の部分であり、外周に第２コイルばね７４を配置できるようになっている。このように、第２軸部７３ｃが第２受け部７３ｂより小径に形成されることで、第２受け部７３ｂと第２軸部７３ｃとの段差部分に第２コイルばね７４の先端が当接可能となっている。また、第２軸部７３ｃは、第２装着凹部７２に形成された嵌合穴７２ａに、軸方向に摺動自在に嵌合されている。
【００４４】
第２コイルばね７４は、第２音出しピン７３の第２軸部７３ｃの外周に配置される。このとき、第２コイルばね７４の基端部は第２装着凹部７２の底部に当接しており、第２コイルばね７４の先端部は第２受け部７３ｂと第２軸部７３ｃとの段差部分に当接している。この第２コイルばね７４は、圧縮状態で第２装着凹部７２に収納され、第２音出しピン７３を第２音出し凹部７１側に付勢している。
【００４５】
第３リアドラグ発音機構８０は、リアドラグ機構４５が作動したときに発音するようになっている。第３リアドラグ発音機構８０は、図２に示すように、音出しばね８１と、プレート部材２０ｂの外周面に形成された突起２０ｃとからなっている。音出しばね８１は、たとえば略Ｌ字形に形成された板ばねになっており、リールボディ１ａに一端が固定されている。そして、音出しばね８１の他端が突起２０ｃに係合している。これにより、リアドラグ機構４５が作動したときに、スプール軸１４および第１ブッシュ１８とともにプレート部材２０ｂが回転して、プレート部材２０ｂの突起２０ｃが音出しばね８１の他端に衝突を繰り返して発音する。
【００４６】
〔スピニングリールの動作〕
以上に示したスピニングリールを使用する場合、糸を繰り出すときには、ベール４３を糸開放側に倒す。そして、釣り竿をキャスティングすると、スプール３から釣り糸が繰り出される。糸を巻き取るときには、ベール４３を糸巻取側に戻す。この状態でハンドル１０を糸巻取方向に回転させると、この回転力がハンドル軸１０ａ及びフェースギア１１を介してピニオンギア１２に伝達される。そして、ピニオンギア１２に伝達された回転力が、ピニオンギア１２の前部においてロータ２を回転させる。一方で、ピニオンギア１２に伝達された回転力は、ピニオンギア１２に噛み合う中間ギア（図示しない）を介して螺軸１５も同時に回転させる。このとき、螺軸１５の螺旋溝に噛み合うスライダ１６がガイド軸（図示しない）に案内され前後方向に移動する。スライダ１６が移動すると、スライダ１６とともにスプール軸１４とスプール３とが前後方向に往復移動する。こうしたロータ２の回転とスプール３の前後移動とによって、ベール４３およびラインローラ４１から案内された釣り糸が、スプール３の外周に前後方向に均一に巻き取られる。このように動作するスピニングリールを使用するとき、魚がかかって魚が所定のドラグ力を越える力で釣り糸を引き込むと、スプール軸１４とスプール３とが相対回転してリアドラグ機構４５が作動する。
【００４７】
〔つまみ部材の抜け止め構造の組み立て〕
つまみ部材５０がつまみ装着部５２から後方に抜け出さないようにするために、以下のように抜け止め構造が組み立てられつまみ部材を後方に抜け止めしている。
まず、第１つまみ部材５５にリング部材５７を配置する。そして、第１つまみ部材５５の第３環状溝５５ｄを、つまみ装着部５２の第１環状溝５２ｃに配置された第１嵌合部材５８ａに嵌合する。次に、ワッシャ５９を、第１つまみ部材５５の第３筒状部５５ｃ後部に配置する。このとき、ワッシャ５９は、突起部５９ｂをつまみ装着部５２の後端から第２係合凹部（凹部）５２ｆに嵌合させ、円環部５９ａ前面を第１つまみ部材５５の抜け止め係止面（抜け止め係止部）５５ｇに当接させる。最後に、第２嵌合部材（抜け止め部材）５８ｂを、ワッシャ５９の後面に当接させながら、第２環状溝（環状溝）５２ｄに嵌合する。この第２嵌合部材（抜け止め部材）５８ｂによって、第１つまみ部材５５の後方への移動をワッシャ５９を介して規制することができる。このように第１つまみ部材５５の後方への移動を規制した後に、第２つまみ部材５６を第１つまみ部材５５に連結する。これにより、つまみ部材５０はつまみ装着部５２に対して後方に抜け止めされる。
【００４８】
従来のスピニングリールのリアドラグつまみの抜け止め構造では、抜け止め係止面（抜け止め係止部）５５ｇを第２嵌合部材（抜け止め部材）５８ｂの前面に当接させることで、つまみ部材５０が後方に抜け出せないようになっていた。しかしながら、つまみ部材５０を回転させると、つまみ部材５０の抜け止め係止面（抜け止め係止部）５５ｇに当接した第２嵌合部材（抜け止め部材）５８ｂが同時に回転してしまうことがあった。すると、第２嵌合部材（抜け止め部材）５８ｂは回転した状態でつまみ部材５０を後方に抜け止めしなければならなくなるため、第２嵌合部材（抜け止め部材）５８ｂに捩れが生じたりして第２嵌合部材（抜け止め部材）５８ｂの姿勢が安定に保たれにくくなるおそれがあった。
【００４９】
本実施形態のスピニングリールのリアドラグつまみの抜け止め構造では、ワッシャ５９の円環部５９ａが抜け止め係止面（抜け止め係止部）５５ｇに当接して、ワッシャ５９の突起部５９ｂがつまみ装着部５２に形成された複数の第２係合凹部（凹部）５２ｆに嵌合されている。このようにワッシャ５９を配置すると、抜け止め係止面（抜け止め係止部）５５ｇが回転しても、抜け止め係止面（抜け止め係止部）５５ｇに当接したワッシャ５９はつまみ装着部５２に対して回転が規制される。このようにつまみ装着部５２に対して回転が規制されたワッシャ５９を挟持するように、抜け止め係止面（抜け止め係止部）５５ｇと第２嵌合部材（抜け止め部材）５８ｂとが配置されているので、抜け止め係止面（抜け止め係止部）５５ｇが回転しても、抜け止め係止面（抜け止め係止部）５５ｇの回転がワッシャ５９によって第２嵌合部材（抜け止め部材）５８ｂに伝達されないようになっている。これにより、第２嵌合部材（抜け止め部材）５８ｂの姿勢を安定に保つことができる。
【００５０】
〔他の実施形態〕
（ａ）  前記実施形態では、スピニングリールのリアドラグ機構４５を調節するためのつまみ部材５０を後方に抜け止めする抜け止め構造の例を示したが、抜け止め構造を用いる対象は、前記実施形態に限定されず、各種機構の制動調整つまみであればどのようなものでも良い。
【００５１】
たとえば、図９に示すように、両軸受リールのキャスティングコントロール機構１４５の調節部材であるキャスティングコントロールつまみ１５０にも、抜け止め構造を適用することができる。
両軸受リールは、主に、リール本体１０１と、リール本体１０１に回転自在に装着されるハンドル１１０と、リール本体１０１に回転自在に装着されキャスティングコントロール機構１４５によって制動されるスプール１０３と、キャスティングコントロール機構１４５を調節するためのキャスティングコントロールつまみ１５０とを有している。
【００５２】
リール本体１０１は、フレーム１０５と、フレーム１０５の両側方に装着された第１側カバー１０６および第２側カバー１０７とを有している。フレーム１０５は、所定の間隔をあけて互いに対向するように配置された一対の側板１０８、１０９と、これらの側板１０８、１０９を連結する複数の連結部（図示しない）とを有している。第２側カバー１０７には、スプール１０３の回転軸端１０３ａを収納するつまみ装着部１５２が設けられている。
【００５３】
つまみ装着部１５２には、図１０に示すように、先端面において周方向に所定の間隔を隔てて複数の第１係合凹部１５２ｂが形成されている。また、つまみ装着部１５２には、先端部内周面に第１雌ねじ部１５２ａが形成されており、外周面に環状の第１環状溝１５２ｃおよび第２環状溝（環状溝）１５２ｄが所定の間隔を隔てて形成されている。そして、つまみ装着部１５２の先端から第２環状溝（環状溝）１５２ｄに向けて第２係合凹部（凹部）１５２ｆが軸方向に形成されている。この第２係合凹部（凹部）１５２ｆは、周方向に所定の間隔を隔てて配置されており、深さが第２環状溝（環状溝）１５２ｄの深さより深くなっている。
【００５４】
キャスティングコントロール機構１４５は、図９および図１０に示すように、スプール１０３回転時の抵抗力を調節するためのものである。このキャスティングコントロール機構１４５は、スプール１０３の回転軸の両端に配置された第１および第２押圧プレート１４５ａ，１４５ｂと、第２押圧プレート１４５ｂを内方に向けて押圧するためにつまみ装着の内周部に回転自在に配置される第１押圧部材１２２と、つまみ装着部１５２に回転自在に装着され第１押圧部材１２２に回転可能に係合するキャスティングコントロールつまみ１５０とを有している。キャスティングコントロールつまみ１５０を回転させると、第１押圧プレート１４５ａ側のスプール１０３の回転軸端を支点にして、第１押圧部材１２２が第２押圧プレート１４５ｂを介してスプール１０３の回転軸端１０３ａを軸方向に押圧したり軸方向への押圧を解除したりする。これにより、スプール１０３の回転軸に回転不能に装着されたスプール１０３の回転時の抵抗力が調節される。
【００５５】
キャスティングコントロールつまみ１５０は、第１および第２つまみ部材１５５，１５６とリング部材１５７とからなっている。第１つまみ部材１５５は、たとえば合成樹脂製であり、筒状に形成されている。この第１つまみ部材１５５は、第１筒状部１５５ａと第２筒状部１５５ｂと第３筒状部１５５ｃとを有しており、これら第１から第３筒状部１５５ａ，１５５ｂ，１５５ｃは一体に形成されている。
【００５６】
第１筒状部１５５ａには、リール本体側の内周縁に環状の第３環状溝１５５ｄが設けられている。この第３環状溝１５５ｄとつまみ装着部１５２の第１環状溝１５２ｃとに、第１嵌合部材１５８ａが嵌合されている。ここで、第１嵌合部材１５８ａには、たとえばＯリングが用いられている。第２筒状部１５５ｂは、第１筒状部１５５ａの外方端に一体に形成されており、外径が第１筒状部１５５ａの外径より小径になっている。第３筒状部１５５ｃは、第２筒状部１５５ｂの外方端に一体に形成されており、外径が第２筒状部１５５ｂの外径より小径になっている。第３筒状部１５５ｃの外周面には、第２雄ねじ部１５５ｅが設けられている。
【００５７】
第３筒状部１５５ｃの外方端には、抜け止め係止面（抜け止め係止部）１５５ｇが設けられている。抜け止め係止面（抜け止め係止部）１５５ｇは、スプール１０３の回転軸に実質的に垂直な面状に形成されている。この抜け止め係止面（抜け止め係止部）１５５ｇの後部には、ワッシャ１５９が配置されている。ワッシャ１５９は、円環部１５９ａと突起部１５９ｂとを有している。円環部１５９ａは、抜け止め係止面（抜け止め係止部）１５５ｇに当接している。突起部１５９ｂは、円環部１５９ａの内周面から内方に突出して複数の第２係合凹部（凹部）１５２ｆに嵌合可能に形成されている。このワッシャ１５９は、第２嵌合部材（抜け止め部材）１５８ｂによって位置決めされる。第２嵌合部材（抜け止め部材）１５８ｂは、ワッシャ１５９に当接させながら、つまみ装着部１５２に形成された第２環状溝（環状溝）１５２ｄに嵌合されている。ここで、第２嵌合部材（抜け止め部材）１５８ｂでは、たとえばＣ型止め輪が用いられており、外径がワッシャ１５９の円環部１５９ａの内径より大きくなっている。
【００５８】
第２つまみ部材１５６は、たとえば合成樹脂製であり、有底筒状に形成されている。第２つまみ部材１５６の底部には、第１および第２嵌合部１５６ｅ，１５６ｆが設けられている。第１嵌合部１５６ｅは、底部中央部で小判穴状に形成されている。この第１嵌合部１５６ｅに、外周面が互いに平行に面取りされた第１押圧部材１２２を嵌合させている。このとき、第１押圧部材１２２は、第１嵌合部１５６ｅ内において回転不能かつ進退自在になっている。第２嵌合部１５６ｆは、第２つまみ部材１５６の底部外周に円環凹状に形成されている。この第２嵌合部１５６ｆに、後述する音出し部材１６１が嵌合される。また、円環凹状に形成された第２嵌合部１５６ｆの底部には、第１装着凹部１６３が形成されており、この第１装着凹部１６３に後述する第１音出しピン１６４および第１コイルばね１６５が配置される。
【００５９】
第２つまみ部材１５６の内周側面には、環状の第４環状溝１５６ｂと第２雌ねじ部１５６ｄとが設けられている。第４環状溝１５６ｂは、第２つまみ部材１５６の底部側で、後述する音出し部材１６１の外径より大径に形成されている。第２雌ねじ部１５６ｄは、第２つまみ部材１５６の開口側に形成されている。この第２雌ねじ部１５６ｄを第１つまみ部材１５５の第２雄ねじ部１５５ｅに螺合させることで、第２つまみ部材１５６が第１つまみ部材１５５に連結される。このとき、第１つまみ部材１５５と第２つまみ部材１５６との間には、リング部材１５７が配置される。このリング部材１５７は、たとえばアルミニュウム製である。なお、第１つまみ部材１５５と第２つまみ部材１５６との間にリング部材１５７を設置したことで、キャスティングコントロールつまみ１５０の意匠性を向上することができる。
【００６０】
キャスティングコントロール発音機構１６０は、図１０に示すように、つまみ装着部１５２と第２つまみ部材１５６との間に配置され、つまみ装着部１５２とつまみ部材１５０との相対回転により発音するようになっている。このキャスティングコントロール発音機構１６０は、音出し部材１６１と、抜け止め部材１６２と、第１装着凹部１６３と、第１音出しピン１６４と、第１コイルばね１６５とを備えている。
【００６１】
音出し部材１６１は、リング状に形成される円盤部１６１ａと、円盤部１６１ａの一面に回転方向に間隔を隔てて配置された複数の音出し凹部１６１ｂと、円盤部１６１ａの他面に一体に形成された係合部１６１ｃとを有している。この音出し部材１６１では、円盤部１６１ａが、第２つまみ部材１５６の第２嵌合部１５６ｆに嵌合されており、第２つまみ部材１５６に対して回転自在になっている。また、円板部１６１ａの外径は、第４環状溝１５６ｂの内径より小径に形成されている。係合部１６１ｃは、つまみ装着部１５２の先端面に形成された第１係合凹部１５２ｂに向けて突出して形成されており、この第１係合凹部１５２ｂに嵌合されている。抜け止め部材１６２は、音出し部材１６１の脱落防止のために設けられている。この抜け止め部材１６２は、たとえばＣ型止め輪となっており、第４環状溝１５６ｂに配置される。また、抜け止め部材１６２の内径は、音出し部材１６１の円盤部１６１ａの外径より小さく形成されている。第１装着凹部１６３は、複数の音出し凹部１６１ｂに対向する位置で、第２つまみ部材１５６の底部に形成されている。
【００６２】
第１音出しピン１６４は、第１装着凹部１６３に進退自在に装着されており、音出し部材１６１の第１音出し凹部１６１ｂに係合している。第１音出しピン１６４は、第１頭部１６４ａと、第１頭部１６４ａに連結された第１受け部１６４ｂと、第１受け部１６４ｂに連結された第１軸部１６４ｃとを有している。第１頭部１６４ａは先端が滑らかな凸状に形成されている。この第１頭部１６４ａの先端が、第１音出し凹部１６１ｂに衝突を繰り返すことでクリック音を発する。
【００６３】
第１コイルばね１６５は、第１音出しピン１６４の第１軸部１６４ｃの外周側に配置されている。このとき、第１コイルばね１６５の基端部は第１装着凹部１６３の底部に当接しており、第１コイルばね１６５の先端部は第１受け部１６４ｂと第１軸部１６４ｃとの段差部分に当接している。この第１コイルばね１６５は、圧縮状態で第１装着凹部１６３に収納され、第１音出しピン１６４を第１音出し凹部１６１ｂ側に付勢している。
【００６４】
このような両軸受リールのキャスティングコントロールつまみ１５０の抜け止め構造では、ワッシャ１５９の円環部１５９ａが抜け止め係止面（抜け止め係止部）１５５ｇに当接して、ワッシャ１５９の突起部１５９ｂがつまみ装着部１５２に形成された複数の第２係合凹部（凹部）１５２ｆに嵌合されている。このようにワッシャ１５９を配置すると、抜け止め係止面（抜け止め係止部）１５５ｇが回転しても、抜け止め係止面（抜け止め係止部）１５５ｇに当接したワッシャ１５９はつまみ装着部１５２に対して回転が規制される。このようにつまみ装着部１５２に対して回転が規制されたワッシャ１５９を挟持するように、抜け止め係止面（抜け止め係止部）１５５ｇと第２嵌合部材（抜け止め部材）１５８ｂとが配置されているので、抜け止め係止面（抜け止め係止部）１５５ｇが回転しても、抜け止め係止面（抜け止め係止部）１５５ｇの回転がワッシャ１５９によって第２嵌合部材（抜け止め部材）１５８ｂに伝達されないようになっている。これにより、第２嵌合部材（抜け止め部材）１５８ｂの姿勢を安定に保つことができる。
【００６５】
（ｂ）  前記実施形態では、第２嵌合部材（抜け止め部材）５８ｂ，１５８ｂにＣ型止め輪を用いた場合の例を示したが、第２嵌合部材（抜け止め部材）５８ｂ，１５８ｂは、前記実施形態に限定されず、つまみ装着部５２，１５２の第２環状溝（環状溝）５２ｄ，１５２ｄに嵌合できワッシャ５９，１５９の抜け出しを規制することができれば、どうのようなものでも良い。たとえば、第２嵌合部材（抜け止め部材）５８ｂ，１５８ｂにＯリングを用いても、Ｃ型止め輪を用いたときと同様の効果を得ることができる。
【００６６】
（ｃ）  前記実施形態では、第１つまみ部材５５，１５５と第２つまみ部材５６，１５６と間にリング部材５７，１５７を配置した場合の例を示したが、リング部材５７，１５７の有無は、前記実施形態に限定されず、必ずしもリング部材５７，１５７を配置する必要はない。たとえば、リング部材５７，１５７を配置しない場合、各種機構の制動調整つまみ５０，１５０の意匠性については向上させにくくなるものの、各種機構の制動調整つまみ５０，１５０を抜け止め構造で抜け止めすることによる効果ついては、リング部材５７，１５７を配置した場合と同様の効果を得ることができる。
【００６７】
【発明の効果】
本発明によれば、ワッシャの円環部が抜け止め係止部に当接して、ワッシャの突起部がつまみ装着部に形成された複数の凹部に嵌合されている。このようにワッシャを配置すると、抜け止め係止部が回転しても、抜け止め係止部に当接したワッシャがつまみ装着部に対して回転しないように規制することができる。このようにつまみ装着部に対して回転が規制されたワッシャを挟持するように、抜け止め係止部と抜け止め部材とが配置されているので、抜け止め係止部が回転しても、抜け止め係止部の回転がワッシャによって抜け止め部材に伝達されないようになっている。これにより、抜け止め部材の姿勢を安定に保つことができる。
【図面の簡単な説明】
【図１】本発明の一実施形態によるスピニングリールの断面図。
【図２】前記スピニングリール後部の拡大断面図。
【図３】前記スピニングリールの抜け止め構造の分解斜視図。
【図４】前記スピニングリールのつまみ部材の拡大断面図。
【図５】前記スピニングリールのレバー部材の拡大断面図。
【図６】前記スピニングリールに設置された第１リアドラグ発音機構の拡大断面図。
【図７】前記スピニングリールに設置された第２リアドラグ発音機構の断面図（図１のＩ−Ｉ位置）。
【図８】前記第２リアドラグ発音機構の拡大断面図。
【図９】本発明の他の実施形態による両軸受リールの断面図。
【図１０】前記両軸受リールのキャスティングコントロールつまみの拡大断面図。
【符号の説明】
５２，１５２  つまみ装着部
５２ｄ，１５２ｄ  第２環状溝（環状溝）
５２ｆ，１５２ｆ  第２係合凹部（凹部）
５５，１５５  第１つまみ部材
５５ａ，１５５ａ  第１筒状部
５５ｂ，１５５ｂ  第２筒状部
５５ｃ，１５５ｃ  第３筒状部
５５ｄ，１５５ｄ  第３環状溝
５５ｇ，１５５ｇ  抜け止め係止面（抜け止め係止部）
５６，１５６  第２つまみ部材
５８ｂ，１５８ｂ  第２嵌合部材（抜け止め部材）
５９，１５９  ワッシャ
５９ａ，１５９ａ  円環部
５９ｂ，１５９ｂ  突起部
【図１】
2004350633.tif 000003
【図２】
2004350633.tif 000004
【図３】
2004350633.tif 000005
【図４】
2004350633.tif 000006
【図５】
2004350633.tif 000007
【図６】
2004350633.tif 000008
【図７】
2004350633.tif 000009
【図８】
2004350633.tif 000010
【図９】
2004350633.tif 000011
【図１０】
2004350633.tif 000012